(57)【要約】【課題】  表示装置を利用するユーザに対して、所望の情報を簡単に配信すること。【解決手段】  表示装置と情報発信装置とからなるシステムであって、複数の情報を発信する情報発信部と、複数の情報を取得する条件を設定する条件設定部と、条件を記憶する記憶部と、複数の情報を受信する情報受信部と、情報受信部により受信した情報が、条件に適合するか否かを判断する判断部と、判断部により条件に適合すると判断した情報を取得する取得部と、取得部により取得した情報を表示する表示部とを備え、表示装置は、少なくとも記憶部と情報受信部と判断部と取得部と表示部とを備え、情報発信装置は、少なくとも情報発信部を備える。【選択図】      図１
2007094119.tif 000002
【特許請求の範囲】
【請求項１】
表示装置と情報発信装置とからなるシステムであって、
複数の情報を発信する情報発信部と、
前記複数の情報を取得する条件を設定する条件設定部と、
前記条件を記憶する記憶部と、
前記複数の情報を受信する情報受信部と、
前記情報受信部により受信した情報が、前記条件に適合するか否かを判断する判断部と、
前記判断部により前記条件に適合すると判断した情報を取得する取得部と、
前記取得部により取得した情報を表示する表示部とを備え、
前記表示装置は、少なくとも前記記憶部と前記情報受信部と前記判断部と前記取得部と前記表示部とを備え、
前記情報発信装置は、少なくとも前記情報発信部を備える
ことを特徴とするシステム。
【請求項２】
請求項１に記載のシステムにおいて、
前記条件設定部は、前記条件として、前記表示部に情報を表示する優先順位を設定し、
前記表示部は、前記優先順位にしたがって、前記情報を表示する
ことを特徴とするシステム。
【請求項３】
請求項１または請求項２に記載のシステムにおいて、
前記表示装置は、ユーザの頭部に装着可能なヘッドマウントディスプレイ装置であり、外界光と前記表示部からの光束とを重畳して表示する
ことを特徴とするシステム。
【請求項４】
複数の情報を発信する情報発信装置から発信された情報を受信する機能を備えた表示装置であって、
前記複数の情報を取得する条件を設定する条件設定部と、
前記条件を記憶する記憶部と、
前記複数の情報を受信する情報受信部と、
前記情報受信部により受信した情報が、前記条件に適合するか否かを判断する判断部と、
前記判断部により前記条件に適合すると判断した情報を取得する取得部と、
前記取得部により取得した情報を表示する表示部とを備える
ことを特徴とする表示装置。
【請求項５】
請求項４に記載の表示装置において、
前記条件設定部は、前記条件として、前記表示部に情報を表示する優先順位を設定し、
前記表示部は、前記優先順位にしたがって、前記情報を表示する
ことを特徴とする表示装置。
【請求項６】
請求項４または請求項５に記載の表示装置において、
ユーザの頭部に前記表示装置を装着可能な装着部をさらに備え、
前記表示部は、前記表示部からの光束と外界光とを重畳して表示する
ことを特徴とする表示装置。
【請求項７】
複数の情報を発信する情報発信ステップと、
前記複数の情報を取得する条件を設定する条件設定ステップと、
前記条件を記憶する記憶ステップと、
前記複数の情報を受信する情報受信ステップと、
前記情報受信ステップにおいて受信した情報が、前記条件に適合するか否かを判断する判断ステップと、
前記判断ステップにおいて前記条件に適合すると判断した情報を取得する取得ステップと、
前記取得ステップにおいて取得した情報を表示する表示ステップとを備えた
ことを特徴とする情報配信方法。
【発明の詳細な説明】
【技術分野】
【０００１】
本発明は、表示装置と情報発信装置とからなるシステム、複数の情報を発信する情報発信装置から発信された情報を受信する機能を備えた表示装置および情報配信方法に関する。
【背景技術】
【０００２】
近年、表示素子の小型化などにより、小型で携帯可能な表示装置が考えられている。このような表示装置においては、接続コードなどにより移動範囲が限定されるという問題がある。そこで、特許文献１の発明では、無線や赤外光を用いて情報を送受信することにより、この問題を解消している。
【特許文献１】特開２００２−２４７４８４号公報
【発明の開示】
【発明が解決しようとする課題】
【０００３】
しかし、上述した特許文献１の発明では、ＩＤ情報などを表示装置から情報端末に送信し、送信したＩＤ情報に基づいてユーザの所望の情報を取得している。この発明では、表示装置と情報端末との間に情報の送受信が必ず必要となる。そのため、表示装置を利用するユーザは、ＩＤ情報を送信することにより個人情報を提示しなければならず、また、所望の情報の内容についても、情報端末に対して提示しなければならない。また、情報端末側では、表示装置ごとにＩＤ情報等を管理する必要があり、双方の処理が煩雑になるという問題がある。
【０００４】
本発明のシステム、表示装置および情報配信方法は、表示装置を利用するユーザに対して、所望の情報を簡単に配信することを目的とする。
【課題を解決するための手段】
【０００５】
本発明のシステムは、表示装置と情報発信装置とからなるシステムであって、複数の情報を発信する情報発信部と、前記複数の情報を取得する条件を設定する条件設定部と、前記条件を記憶する記憶部と、前記複数の情報を受信する情報受信部と、前記情報受信部により受信した情報が、前記条件に適合するか否かを判断する判断部と、前記判断部により前記条件に適合すると判断した情報を取得する取得部と、前記取得部により取得した情報を表示する表示部とを備え、前記表示装置は、少なくとも前記記憶部と前記情報受信部と前記判断部と前記取得部と前記表示部とを備え、前記情報発信装置は、少なくとも前記情報発信部を備える。
【０００６】
なお、好ましくは、前記条件設定部は、前記条件として、前記表示部に情報を表示する優先順位を設定し、前記表示部は、前記優先順位にしたがって、前記情報を表示しても良い。
また、好ましくは、前記表示装置は、ユーザの頭部に装着可能なヘッドマウントディスプレイ装置であり、外界光と前記表示部からの光束とを重畳して表示しても良い。
【０００７】
本発明の表示装置は、複数の情報を発信する情報発信装置から発信された情報を受信する機能を備えた表示装置であって、前記複数の情報を取得する条件を設定する条件設定部と、前記条件を記憶する記憶部と、前記複数の情報を受信する情報受信部と、前記情報受信部により受信した情報が、前記条件に適合するか否かを判断する判断部と、前記判断部により前記条件に適合すると判断した情報を取得する取得部と、前記取得部により取得した情報を表示する表示部とを備える。
【０００８】
なお、好ましくは、前記条件設定部は、前記条件として、前記表示部に情報を表示する優先順位を設定し、前記表示部は、前記優先順位にしたがって、前記情報を表示しても良い。
また、好ましくは、ユーザの頭部に前記表示装置を装着可能な装着部をさらに備え、前記表示部は、前記表示部からの光束と外界光とを重畳して表示しても良い。
【０００９】
本発明の情報配信方法は、複数の情報を発信する情報発信ステップと、前記複数の情報を取得する条件を設定する条件設定ステップと、前記条件を記憶する記憶ステップと、前記複数の情報を受信する情報受信ステップと、前記情報受信ステップにおいて受信した情報が、前記条件に適合するか否かを判断する判断ステップと、前記判断ステップにおいて前記条件に適合すると判断した情報を取得する取得ステップと、前記取得ステップにおいて取得した情報を表示する表示ステップとを備える。
【発明の効果】
【００１０】
本発明のシステム、表示装置および情報配信方法によれば、表示装置を利用するユーザに対して、所望の情報を簡単に配信することができる。
【発明を実施するための最良の形態】
【００１１】
以下、図面に基づいて本発明の実施形態について説明する。
図１は、本実施形態のシステム全体を示す図である。本発明のシステム１００は、図１に示すように、ヘッドマウントディスプレイの一種であるアイグラスディスプレイ１と情報発信装置２とからなる。アイグラスディスプレイ１は、情報発信装置２から発信される情報を無線で受信する（詳細は後述する）。
また、アイグラスディスプレイ１は、眼鏡フレームと同様の構造のフレーム１１に、画像表示用の基板１２やボックス１３を固定してなる。ボックス１３の詳細は後述する。
【００１２】
このアイグラスディスプレイ１がフレーム１１によってユーザの頭部に装着されると、基板１２は観察眼Ｅの前面に配置され、ボックス１３は、観察眼Ｅの視界を妨げない位置に配置される。
図２は、本アイグラスディスプレイ１の光学系部分の概略断面である。図２に示すように、光学系部分には、照明光学系１４、画像表示素子１５、コリメータレンズ１６、基板１２などが備えられる。このうち、照明光学系１４、画像表示素子１５、およびコリメータレンズ１６はボックス１３内に収められる。観察眼Ｅの前に配置され、かつ画像表示素子１５からの表示光束と外界からの外界光束とを重畳する光学部材（ここでは基板１２）は、いわゆる「イメージコンバイナ」である。
【００１３】
照明光学系１４は、例えば、ＬＥＤおよび拡散板を組み合わせた光学系である。画像表示素子１５は、例えば、透過型ＬＣＤや有機ＥＬディスプレイなどである。また、基板１２は、ガラスやプラスチック等の可視光に対し透明な光学材料からなり、ユーザ側の面Ａ’と反ユーザ側（外界側）の面Ａとが平行な平行平板である。
基板１２の内部には、全反射ミラーである導入ミラー１２Ａと、部分反射ミラー１２Ｂとが形成されている。このうち、導入ミラー１２Ａの形成箇所は、ボックス１３に対向する位置付近であり、その姿勢は、基板１２の面Ａ，Ａ’に対し所定角度だけ傾斜した姿勢である。また、部分反射ミラー１２Ｂの形成箇所は、観察眼Ｅに対向する位置付近であり、その姿勢は、基板１２の面Ａ’，Ａに対し所定角度だけ傾斜した姿勢である。
【００１４】
以上のアイグラスディスプレイ１において、画像表示素子１５は、その背後から照明光学系１４によって照明され、入射した光を空間変調して画像表示用の光束（表示光束）を生成する。その表示光束は、コリメータレンズ１６において平行光束となり、基板１２の面Ａ’から基板１２の内部に導かれる。なお、図２では、中心画角の表示光束のみ（基板１２中では代表する１光線のみ）を示した。
【００１５】
基板１２の内部に入射した表示光束は、導入ミラー１２Ａにて４５°より小さい反射角度で反射した後、基板１２の面Ａ’に対しその臨界角度より大きい入射角度で入射し、全反射する。その後、表示光束は、基板１２の面Ａに対し同じ入射角度で入射し、全反射する。そして、表示光束は、基板１２の面Ａ’，Ａにて内面反射を繰り返し、観察眼Ｅの方向へ伝播すると、部分反射ミラー１２Ｂに入射し、それらの反射作用を受ける。反射した表示光束は、面Ａ’を透過して基板１２の外部の所定領域ＥＰへ入射する。
【００１６】
そこへ入射するある画角の表示光束は平行光束化されているので、その平行光束の各光線は、所定領域ＥＰに対し共通の入射角度で入射する。また、各画角の表示光束は、その所定領域ＥＰに対し所定の入射角度関係をもって入射する。
このような所定領域ＥＰの何れかの箇所に観察眼Ｅの瞳が配置されると、ユーザは、外界側の無限遠方に画像表示素子１５の拡大虚像を観察することができる。つまり、この所定領域ＥＰは、射出瞳として機能する。
【００１７】
また、外界から基板１２に到来する外界光束の少なくとも１部は、基板１２や部分反射ミラー１２Ｂを透過して射出瞳ＥＰへ入射する。よって、ユーザは前記拡大虚像と共に外界の風景を観察することができる。
なお、画像表示素子１５として、反射型ＬＣＤや、自発光型の素子などの画像表示素子を用いても良い。また、コリメータレンズ１６を用いる例を示したが、コリメータレンズ１６の代わりに、コリメータレンズ１６と同等の機能を持つ単数又は複数の光学面を、画像表示素子１５から導入ミラー１２Ａまでの表示光束の光路の何れかの箇所に設けても良い。さらに、導入ミラー１２Ａへの入射光束は平行光束でなくても良い。例えば、ホログラムを部分反射ミラー１２Ｂに用いることで、全体として光束がコリメートされる構成としても良い。
【００１８】
また、図１では、基板１２の輪郭が眼鏡レンズと同様に整えられているが、表示光束の光路が確保される限り、他の形状であっても良い。また、図１および図２では、画像表示素子１５を基板１２の近傍に配置する例を示したが、基板１２から離れた適当な箇所に配置し、リレー光学系によって基板１２の近傍まで導光しても良い。また、スキャン光学系を用いて同位置に空中画像を形成しても良い。また、図１および図２では、ボックス１３を基板１２のユーザ側に配置する例を示したが、基板１２の外界側に配置しても良いし、フレーム１１の側方の近傍に配置しても良い。何れの場合も、導入ミラー１２Ａの傾斜方向を適宜調整すれば良い。また、図１および図２では、ボックス１３をユーザの側頭部近傍に配置する例を示したが、ユーザの視界を妨げない箇所であれば、例えば、観察眼Ｅの眉毛の近傍などに配置しても良い。
【００１９】
図３は、アイグラスディスプレイ１の機能ブロック図である。アイグラスディスプレイ１は、情報発信装置２から発信される情報を無線で受信する情報受信部２０、後述する「取得条件」や取得した情報を記憶する記憶部２１、情報を表示する表示部２２、表示部２２の表示を制御する表示制御部２３、コンピュータなどの外部機器と接続可能な接続部２４、各部を制御するＣＰＵ２５、電源スイッチ２６を備える。
【００２０】
記憶部２１、表示制御部２３、接続部２４、ＣＰＵ２５は、バスを介して相互に接続される。また、表示制御部２３の出力は表示部２２に接続され、ＣＰＵ２５は、電源スイッチ２６の状態を検知する。表示部２２は、図２を用いて説明した各部のうち、基板１２を除く部分に対応する。また、記憶部２１、表示部２２、表示制御部２３、接続部２４、ＣＰＵ２５の各部は、ボックス１３内に収められる。また、電源スイッチ２６は、ボックス１３の表面に、ユーザ操作を受け付けるための操作部材を有する。
【００２１】
情報発信装置２は、不図示の情報発信部および発信する情報を記憶する記憶部を備える。情報発信装置２は、例えば、ショッピングモールなどに設置される。そして、例えば１０メートル以内といった近距離使用向けの無線通信Ｂｌｕｅｔｏｏｔｈ技術などを用いて、情報を無線で発信する。情報発信装置２から発信される情報は、情報発信装置２の所有者により作成される。情報には、その情報の内容などを示す識別情報が付加される。情報発信装置２は、アイグラスディスプレイ１の動作にかかわらず、常に複数の情報を発信する。
【００２２】
次に、図４に示すフローチャートを用いて、アイグラスディスプレイ１のＣＰＵ２５の動作を説明する。
ステップＳ１において、ＣＰＵ２５は、取得条件が設定されたか否かを判定する。ＣＰＵ２５は、取得条件が設定されるまで待機し、取得条件が設定されると、ステップＳ２に進む。
【００２３】
取得条件の設定は以下のように行われる。ユーザは、接続部２４を介して、アイグラスディスプレイ１を外部のコンピュータと接続し、コンピュータを用いて取得条件の設定を行う。コンピュータには、所定の基本メニューが予め定められているものとする。なお、コンピュータを介したインターネット上に基本メニューを設置しても良い。
取得条件として、まず、情報の内容が設定される。内容は、カテゴリー分類などを用いて階層的に設定するのが好ましい。ユーザは、例えば、娯楽（音楽、映画など）、ショッピング（百貨店やスーパーの催し物、売り出し、広告など）、交通（電車の運行情報、乗り換え情報など）、ニュース（天気情報など）、地域情報（道案内、名所案内など）、製品情報（成分情報、類似製品の情報など）などの基本メニューから、所望の情報を設定する。さらに、取得条件として、取得する情報の優先順位を設定しても良い。
【００２４】
ステップＳ２において、ＣＰＵ２５は、ステップＳ１で設定された取得条件を記憶部２１に記憶する。
ステップＳ３において、ＣＰＵ２５は、情報発信装置２から発信された情報を情報受信部２０を介して受信する。なお、全ての情報を受信しても良いし、後段の判断を行うことができる程度の情報（例えば、識別タグ情報など）のみを受信しても良い。
【００２５】
ステップＳ４において、ＣＰＵ２５は、ステップＳ３で受信した情報が、ステップＳ２で記憶した取得条件に適合するか否かを判定し、適合する場合にはステップＳ５に進む。取得条件に適合しない場合、ＣＰＵ２５は、ステップＳ３に戻り、再び情報を受信する。
ステップＳ５において、ＣＰＵ２５は、ステップＳ３で受信した情報を取得し、記憶部２１に記憶する。
【００２６】
ステップＳ６において、ＣＰＵ２５は、ステップＳ５で記憶した情報を、表示制御部２３を介して表示部２２に表示する。なお、ＣＰＵ２５は、ステップＳ１で設定された取得条件に優先順位が含まれる場合には、その優先順位にしたがって、順に情報を表示する。
ステップＳ７において、ＣＰＵ２５は、所定の時間が経過したか否かを判定する。ＣＰＵ２５は、所定の時間が経過するまで待機し、所定の時間が経過すると、ステップＳ３に戻る。
【００２７】
なお、以上説明した処理に上限時間を設けるようにしても良い。すなわち、ＣＰＵ２５にタイマー機能を備え、タイマーにより設定された時間のみ、ステップＳ３〜ステップＳ７の処理を行う構成としても良い。
以上説明した処理を行うことにより、例えば、ショッピングの売り出し情報を取得条件として設定すると、ユーザはショッピングモール内を移動するたびに、売り出し情報を取得することができる。また、交通の電車の運行情報を取得条件として設定すると、ユーザはショッピングモール内を移動しながら、電車の運行情報を確認することができる。このように、予め取得条件を設定しておくことにより、膨大な情報の中から、所望の情報だけを確実に取得することができる。もちろん、何も表示されない時間があっても構わない。
【００２８】
本実施形態によれば、複数の情報を発信する情報発信部と、複数の情報を取得する条件を設定する条件設定部と、条件を記憶する記憶部と、複数の情報を受信する情報受信部と、情報受信部により受信した情報が、条件に適合するか否かを判断する判断部と、判断部により条件に適合すると判断した情報を取得する取得部と、取得部により取得した情報を表示する表示部とを備え、表示装置は、少なくとも記憶部と情報受信部と判断部と取得部と表示部とを備え、情報発信装置は、少なくとも情報発信部を備える。したがって、表示装置を利用するユーザに対して、所望の情報を簡単に配信することができる。なお、本実施形態によれば、表示装置は送信機能を有する必要がなく、個人情報や所望の情報の内容を提示する必要もない。
【００２９】
また、本実施形態によれば、条件を設定する際に、表示部に情報を表示する優先順位を設定し、設定した優先順位にしたがって情報を表示する。したがって、複数の情報を取得した場合でも、ユーザに対して分かり易く情報を提供することができる。また、表示する情報に優先性を持たせることができる。
また、本実施形態によれば、表示装置は、ユーザの頭部に装着可能なアイグラスディスプレイ装置であり、外界光と表示部からの光束とを重畳して表示する。したがって、外界を観察しながら表示装置に表示された情報を観察することができるアイグラスディスプレイ装置においては特に効果が期待できる。また、アイグラスディスプレイ装置を有効利用することができる。
【００３０】
また、本発明の表示装置によれば、複数の情報を発信する情報発信装置から発信された情報を受信する場合に、上述の各効果と同様の各効果を得ることができる。
また、本実施形態の情報配信方法によれば、複数の情報を発信する情報発信ステップと、複数の情報を取得する条件を設定する条件設定ステップと、条件を記憶する記憶ステップと、複数の情報を受信する情報受信ステップと、情報受信ステップにおいて受信した情報が、条件に適合するか否かを判断する判断ステップと、判断ステップにおいて条件に適合すると判断した情報を取得する取得ステップと、取得ステップにおいて取得した情報を表示する表示ステップとを備える。したがって、表示装置を利用するユーザに対して、所望の情報を簡単に配信することができる。
【００３１】
なお、本実施形態では、表示装置の一例として、アイグラスディスプレイ１を用いて説明を行ったが、アイグラスディスプレイの構成はこの構成例に限定されない。また、ヘッドマウントディスプレイなどの頭部装着型表示装置、携帯電話、ポータブルゲーム機など、表示機能と情報を受信する機能とを備えている装置であれば、本発明を同様に適用することができる。
【００３２】
また、本実施形態では、情報発信装置２がショッピングモールなどに設置される例を示したが、本発明はこの例に限定されない。例えば、商店街、イベント会場、美術館などにおける情報配信においても有効である。
また、情報発信装置２から発信する情報に特別な識別情報を付加し、この識別情報を取得条件に設定した特定のアイグラスディスプレイ１のみが受信可能な構成としても良い。
【００３３】
また、情報発信装置２から発信した情報を所定のエリアで遮断することにより、ユーザに発信する情報を切り分けることができる。例えば、商店街の各商店に情報発信装置２を設置し、店舗外まで届く情報として、例えば呼び込み情報を発信し、店舗内でのみ届く情報として、例えば、詳細な買い物情報などを発信しても良い。
また、ニュースや天気予報など、一般的な情報については、広範囲にわたって情報を配信可能な大型の発信局を備えて、情報を発信するようにしても良い。また、従来からある情報配信システムを組み合わせて利用するようにしても良い。
【００３４】
また、本実施形態では、取得条件の設定を行う際に、接続部２４を介してアイグラスディスプレイ１を外部のコンピュータと接続する例を示したが、アイグラスディスプレイ１が情報送信機能を備える場合には、無線を利用して取得条件の設定を行う構成としても良い。また、コンピュータと接続する代わりに、専用のコントローラなどの機器と接続する構成としても良い。また、着脱可能な媒体を用いて、設定を行う構成としても良い。
【００３５】
また、本実施形態では、アイグラスディスプレイ１を用いて取得条件の設定を行う例を示したが、コンピュータなどを接続した情報発信装置２を用いて取得条件の設定を行う構成としても良い。
また、本実施形態において、取得条件の設定を行う際に、言語や表示フォントなどを、さらに設定する構成としても良い。また、情報の取得を行う回数や頻度を設定する構成としても良い。このような設定を行うことにより、継続的に取得したい情報などを設定することができる。
【００３６】
また、表示部２２に情報を表示した後に、その情報を記憶部２１に記憶したままにしても良いし、表示後に消去しても良い。このような設定も取得条件の設定時に行うと良い。
また、本実施形態では、表示部２２に表示する情報として、文字情報を例に挙げて説明したが、記号やイラストなどユーザが視覚的に認識できる情報であれば、どのようなものであっても良い。さらに、アイグラスディスプレイ１に音声出力部を備え、音声情報を同様に配信する構成としても良い。
【図面の簡単な説明】
【００３７】
【図１】本実施形態のシステム全体を示す図である。
【図２】アイグラスディスプレイ１の光学系部分の概略断面である。
【図３】アイグラスディスプレイ１の機能ブロック図である。
【図４】ＣＰＵ２５の動作を示すフローチャートである。
【符号の説明】
【００３８】
１００，システム  １，アイグラスディスプレイ  ２，情報発信装置  １２，基板  １３，ボックス  １５，表示素子  ２０，情報受信部  ２１，条件記憶部  ２２，表示部  ２４接続部  ２５，ＣＰＵ
【図１】
2007094119.tif 000003
【図２】
2007094119.tif 000004
【図３】
2007094119.tif 000005
【図４】
2007094119.tif 000006